(57)【要約】【課題】使用者の快適な覚醒を促すことができると共に、汎用性を確保することができる覚醒支援機能を備えた映像投影システムを提供する。【解決手段】使用者１６の就寝想定位置に対向する位置にスクリーン２２の表示部３０Ａが配置されると共に、当該表示部３０Ａの一端部３０Ａ１側でかつ当該表示部３０Ａの投影面２２Ａ側に投影装置２６が配置されている。そして、投影装置２６から投影光が投影面２２Ａに照射されることで表示部３０Ａに映像が表示される。また、表示部３０Ａは、荷重付加装置２４によって、目覚まし時刻までにその投影面２２Ａが使用者１６側に凸とならないようにかつその他端部３０Ａ２側が使用者１６に近づくように湾曲される。このため、目覚まし時刻には、表示部３０Ａで反射された投影装置２６からの投影光が使用者１６に向かって集光される。【選択図】図１
2016165071.tif 000002
【特許請求の範囲】
【請求項１】
使用者の就寝想定位置に対向する位置に配置されると共に屈曲又は湾曲可能とされた被投影手段と、
前記被投影手段の一端部側でかつ当該被投影手段の投影面側に配置され、当該被投影手段に投影光を照射する投影装置と、
目覚まし時刻が設定される時刻設定手段と、
前記目覚まし時刻までに前記投影光が照射されるように前記投影装置を制御する投影光制御手段と、
前記目覚まし時刻までに前記投影面が前記使用者側に凸とならないようにかつ前記被投影手段の前記一端部と反対側の他端部側が当該使用者に近づくように当該被投影手段を屈曲又は湾曲させる調節手段と、
を有する覚醒支援機能を備えた映像投影システム。
【請求項２】
前記調節手段は、前記目覚まし時刻に近づくと前記被投影手段から使用者に照射される前記投影光の照度が段階的に又は徐々に上がるようにかつ当該目覚まし時刻に当該照度が設定値となるように前記被投影手段を屈曲又は湾曲させる、
請求項１に記載の覚醒支援機能を備えた映像投影システム。
【請求項３】
前記被投影手段は、前記投影面の一部を構成する平面状の分割投影面を備えた被投影部が前記一端部側から前記他端部側にかけて複数配置されて構成されている、
請求項１又は請求項２に記載の覚醒支援機能を備えた映像投影システム。
【請求項４】
前記目覚まし時刻において、前記使用者の直上に配置される前記被投影部における前記分割投影面の水平方向に対する傾斜角度は、４５度から前記投影光の照射方向と水平方向との成す角度の半分の角度を引いた角度に設定されている、
請求項３に記載の覚醒支援機能を備えた映像投影システム。
【請求項５】
前記被投影手段は、前記投影装置側から屈曲されていく、
請求項３又は請求項４に記載の覚醒支援機能を備えた映像投影システム。
【請求項６】
前記被投影手段は、弾性変形可能な板状の部材で構成されると共に、
前記調節手段は、前記他端部に前記使用者側への集中荷重を付加可能に構成されている、
請求項１又は請求項２に記載の覚醒支援機能を備えた映像投影システム。
【請求項７】
前記被投影手段は、布状の素材で構成され、
前記調節手段は、前記投影装置側の一端部と反対側の他端部側が前記使用者に近づくように屈曲又は湾曲したガイド面部と、前記被投影手段を当該ガイド面部に移動可能な移動手段とを備えている、
請求項１又は請求項２に記載の覚醒支援機能を備えた映像投影システム。
【請求項８】
前記被投影手段は、部屋の天井側に配置されている、
請求項１〜請求項７の何れか１項に記載の覚醒支援機能を備えた映像投影システム。
【請求項９】
前記被投影手段は、室内側に面しかつ建物上下方向又は建物上下方向に対して傾斜した方向に延在する室内構成面に沿って配置されている、
請求項１〜請求項７の何れか１項に記載の覚醒支援機能を備えた映像投影システム。
【請求項１０】
前記投影面は、光幕反射を抑制可能なスクリーン素材で構成されている、
請求項１〜請求項９の何れか１項に記載の覚醒支援機能を備えた映像投影システム。
【発明の詳細な説明】
【技術分野】
【０００１】
本発明は、覚醒支援機能を備えた映像投影システムに関する。
【背景技術】
【０００２】
下記特許文献１には、ユーザを覚醒させる装置に関する発明が開示されている。このユーザを覚醒させる装置では、断面が円弧状に形成されたリフレクタと、このリフレクタに対して回転可能に配置されると共にリフレクタに光を照射する光源とを備えている。このため、使用者の就寝時において、光源を回転させてリフレクタで反射される光の照射方向を調整し、光を使用者の頭部に照射することで、使用者の覚醒を促すことができる。
【先行技術文献】
【特許文献】
【０００３】
【特許文献１】特表２０１１−５２３２６６号公報（図６ｃ）
【発明の概要】
【発明が解決しようとする課題】
【０００４】
しかしながら、上記特許文献１に開示されたユーザを覚醒させる装置では、リフレクタ及び光源が使用者の覚醒に用いられるのみであり、汎用性の観点では改善の余地がある。
【０００５】
本発明は上記事実を考慮し、使用者の快適な覚醒を促すことができると共に、汎用性を確保することができる覚醒支援機能を備えた映像投影システムを提供することが目的である。
【課題を解決するための手段】
【０００６】
第１の態様に係る覚醒支援機能を備えた映像投影システムは、使用者の就寝想定位置に対向する位置に配置されると共に屈曲又は湾曲可能とされた被投影手段と、前記被投影手段の一端部側でかつ当該被投影手段の投影面側に配置され、当該被投影手段に投影光を照射する投影装置と、目覚まし時刻が設定される時刻設定手段と、前記目覚まし時刻までに前記投影光が照射されるように前記投影装置を制御する投影光制御手段と、前記目覚まし時刻までに前記投影面が前記使用者側に凸とならないようにかつ前記被投影手段の前記一端部と反対側の他端部側が当該使用者に近づくように当該被投影手段を屈曲又は湾曲させる調節手段と、を有している。
【０００７】
第１の態様に係る覚醒支援機能を備えた映像投影システムでは、使用者の就寝想定位置に対向する位置に被投影手段が配置されると共に、当該被投影手段の一端部側でかつ当該被投影手段の投影面側に投影装置が配置されている。そして、投影装置から投影光が被投影手段の投影面に照射されることで当該被投影手段に映像が表示される。このため、使用者は、就寝姿勢のまま被投影手段に表示される映像を見ることができる。
【０００８】
ここで、本態様では、被投影手段が屈曲又は湾曲可能とされると共に、目覚まし時刻が設定される時刻設定手段と、投影装置を制御する投影光制御手段と、被投影手段を屈曲又は湾曲させる調節手段とを備えている。そして、投影装置は、投影光制御手段によって、目覚まし時刻までに投影光が照射されるように制御される。一方、被投影手段は、調節手段によって、目覚まし時刻までにその投影面が使用者側に凸とならないようにかつ当該被投影手段の一端部と反対側の他端部側が当該使用者に近づくように屈曲又は湾曲される。このため、目覚まし時刻には、被投影手段で反射された投影装置からの投影光が使用者に向かって集光される。
【０００９】
第２の態様に係る覚醒支援機能を備えた映像投影システムは、第１の態様に係る覚醒支援機能を備えた映像投影システムにおいて、前記調節手段は、前記目覚まし時刻に近づくと前記被投影手段から使用者に照射される前記投影光の照度が段階的に又は徐々に上がるようにかつ当該目覚まし時刻に当該照度が設定値となるように前記被投影手段を屈曲又は湾曲させる。
【００１０】
第２の態様に係る覚醒支援機能を備えた映像投影システムでは、時刻設定手段に設定された目覚まし時刻に近づくと、調節手段によって被投影手段が屈曲又は湾曲され、被投影手段から使用者に照射される投影光の照度が段階的に又は徐々に上がる。そして、被投影手段から使用者に照射される投影光の照度は、目覚まし時刻に設定値となる。
【００１１】
第３の態様に係る覚醒支援機能を備えた映像投影システムは、第１の態様又は第２の態様に係る覚醒支援機能を備えた映像投影システムにおいて、前記被投影手段は、前記投影面の一部を構成する平面状の分割投影面を備えた被投影部が前記一端部側から前記他端部側にかけて複数配置されて構成されている。
【００１２】
第３の態様に係る覚醒支援機能を備えた映像投影システムでは、被投影手段が、当該被投影手段の一端部側から当該被投影手段の他端部側にかけて被投影部が複数配置されて構成されている。これにより、被投影手段は、隣接する被投影部の境界部で屈曲するようになっている。また、被投影部は、投影面の一部を構成する平面状の分割投影面を備えており、当該分割投影面の範囲では、当該投影面の傾斜角度が一定となっている。このため、被投影手段が湾曲される場合と比し、被投影手段で反射された投影装置からの投影光の照射範囲において照度が平均化されるようになる。
【００１３】
第４の態様に係る覚醒支援機能を備えた映像投影システムは、第３の態様に係る覚醒支援機能を備えた映像投影システムにおいて、前記目覚まし時刻において、前記使用者の直上に配置される前記被投影部における前記分割投影面の水平方向に対する傾斜角度は、４５度から前記投影光の照射方向と水平方向との成す角度の半分の角度を引いた角度に設定されている。
【００１４】
第４の態様に係る覚醒支援機能を備えた映像投影システムでは、目覚まし時刻において、使用者の直上に配置される被投影部における分割投影面に照射される投影装置からの投影光が当該被投影部の直下に反射される。このため、少なくとも使用者の直上に配置される被投影部で反射された投影光を、当該使用者に照射することができる。
【００１５】
第５の態様に係る覚醒支援機能を備えた映像投影システムは、第３の態様又は第４の態様に係る覚醒支援機能を備えた映像投影システムおいて、前記被投影手段は、前記投影装置側から屈曲されていく。
【００１６】
第５の態様に係る覚醒支援機能を備えた映像投影システムでは、被投影手段が投影装置側から屈曲されていくため、当該被投影手段が屈曲されていく初期状態において被投影部で反射される投影光の大部分の照射方向を変更することができる。
【００１７】
第６の態様に係る覚醒支援機能を備えた映像投影システムは、第１の態様又は第２の態様に係る覚醒支援機能を備えた映像投影システムにおいて、前記被投影手段は、弾性変形可能な板状の部材で構成されると共に、前記調節手段は、前記他端部に前記使用者側への集中荷重を付加可能に構成されている。
【００１８】
第６の態様に係る覚醒支援機能を備えた映像投影システムでは、被投影手段が弾性変形可能な板状の部材で構成されると共に、調節手段が被投影手段の他端部に使用者側への集中荷重を付加可能に構成されている。このため、調節手段によって被投影手段の他端部に集中加重を付加して被投影手段を湾曲させることができると共に、当該集中加重の大きさを調節することで被投影手段の変形量を調節することができる。
【００１９】
第７の態様に係る覚醒支援機能を備えた映像投影システムは、第１の態様又は第２の態様に係る覚醒支援機能を備えた映像投影システムにおいて、前記被投影手段は、布状の素材で構成され、前記調節手段は、前記投影装置側の一端部と反対側の他端部側が前記使用者に近づくように屈曲又は湾曲したガイド面部と、前記被投影手段を当該ガイド面部に移動可能な移動手段とを備えている。
【００２０】
第７の態様に係る覚醒支援機能を備えた映像投影システムでは、布状の素材で構成された被投影手段を、移動手段によってガイド面部に移動し、当該被投影手段をガイド面部に沿って屈曲又は湾曲された状態とすることができる。このため、被投影手段の集光性能を維持しつつ被投影手段を軽量化することができる。
【００２１】
第８の態様に係る覚醒支援機能を備えた映像投影システムは、第１の態様〜第７の態様の何れか１態様に係る覚醒支援機能を備えた映像投影システムにおいて、前記被投影手段は、部屋の天井側に配置されている。
【００２２】
第８の態様に係る覚醒支援機能を備えた映像投影システムでは、被投影手段が部屋の天井側に配置されており、当該被投影手段が変形するときの作動音の発生箇所と使用者の頭部とを隔離することができる。
【００２３】
第９の態様に係る覚醒支援機能を備えた映像投影システムは、第１の態様〜第７の態様の何れか１態様に係る覚醒支援機能を備えた映像投影システムにおいて、前記被投影手段は、室内側に面しかつ建物上下方向又は建物上下方向に対して傾斜した方向に延在する室内構成面に沿って配置されている。
【００２４】
第９の態様に係る覚醒支援機能を備えた映像投影システムでは、被投影手段が室内側に面しかつ建物上下方向又は建物上下方向に対して傾斜した方向に延在する室内構成面に沿って配置されるため、家具面や壁面等を被投影手段の設置に用いることができる。
【００２５】
第１０の態様に係る覚醒支援機能を備えた映像投影システムは、第１の態様〜第９の態様の何れか１態様に係る覚醒支援機能を備えた映像投影システムにおいて、前記投影面は、光幕反射を防止可能なスクリーン素材で構成されている。
【００２６】
第１０の態様に係る覚醒支援機能を備えた映像投影システムでは、被投影手段の投影面が光幕反射を抑制可能なスクリーン素材で構成されているため、投影面の光幕反射が抑制される。
【発明の効果】
【００２７】
以上説明したように、第１の態様に係る覚醒支援機能を備えた映像投影システムでは、使用者の快適な覚醒を促すことができると共に、汎用性を確保することができるという優れた効果を有する。
【００２８】
第２の態様に係る覚醒支援機能を備えた映像投影システムでは、起床時に使用者に照射される照明光の照度を緩やかに設定値まで変化させ、使用者のより快適な覚醒を促すことができるという優れた効果を有する。
【００２９】
第３の態様に係る覚醒支援機能を備えた映像投影システムでは、起床時に使用者に照射される照明光の照射範囲において、当該照明光による覚醒効果を平均化することができるという優れた効果を有する。
【００３０】
第４の態様に係る覚醒支援機能を備えた映像投影システムでは、投影装置から照射される投影光の使用者への経路の設定を省略しつつ照明光が使用者に照射される確度を向上させることができるという優れた効果を有する。
【００３１】
第５の態様に係る覚醒支援機能を備えた映像投影システムでは、被投影手段が屈曲されていく初期状態において、使用者に照射される照明光の照射量を向上させることができるという優れた効果を有する。
【００３２】
第６の態様に係る覚醒支援機能を備えた映像投影システムでは、被投影手段の構成を単純なものにすることができるという優れた効果を有する。
【００３３】
第７の態様に係る覚醒支援機能を備えた映像投影システムでは、被投影手段を支持する部材にかかる負荷を軽減することができると共により効率的に集光できるという優れた効果を有する。
【００３４】
第８の態様に係る覚醒支援機能を備えた映像投影システムでは、被投影手段が変形するときの作動音によって使用者の快適な覚醒が妨げられることを抑制することができるという優れた効果を有する。
【００３５】
第９の態様に係る覚醒支援機能を備えた映像投影システムでは、部屋のレイアウトに対応して被投影手段を設置することができるという優れた効果を有する。
【００３６】
第１０の態様に係る覚醒支援機能を備えた映像投影システムでは、被投影手段に表示される映像の品質を向上させることができるという優れた効果を有する。
【図面の簡単な説明】
【００３７】
【図１】第１実施形態に係る映像投影システムの詳細構成を示す図である。
【図２】第１実施形態に係り、（Ａ）はスクリーンの初期変形時の映像投影システムの概略構成を示す図であり、（Ｂ）はスクリーンの変形完了時の映像投影システムの概略構成を示す図である。
【図３】第２実施形態に係る映像投影システムの詳細構成を示す図である。
【図４】第２実施形態に係り、（Ａ）はスクリーンの第１段階の変形時の映像投影システムの概略構成を示す図であり、（Ｂ）はスクリーンの第２段階の変形時の映像投影システムの概略構成を示す図であり、（Ｃ）はスクリーンの第３段階の変形時の映像投影システムの概略構成を示す図である。
【図５】第３実施形態に係る映像投影システムの詳細構成を示す図である。
【図６】第３実施形態に係る映像投影システムの要部の構成を示す斜視図である。
【図７】第３実施形態に係り、（Ａ）はスクリーンの変形前の映像投影システムの要部の構成を示す図であり、（Ｂ）はスクリーンの変形後の映像投影システムの要部の構成を示す図である。
【図８】第４実施形態に係る映像投影システムの詳細構成を示す図である。
【図９】第４実施形態に係る映像投影システムの要部の構成を示す拡大断面図（図８の９−９線に沿って切断した状態を示す拡大断面図）である。
【図１０】第５実施形態に係る映像投影システムの要部の構成を示す建物下方側から見た斜視図である。
【図１１】第５実施形態に係る映像投影システムの要部の構成を示す建物上方側から見た斜視図である。
【発明を実施するための形態】
【００３８】
＜第１実施形態＞
以下、図１及び図２を用いて、本発明の第１実施形態に係る覚醒支援機能を備えた映像投影システム１０（以下、単に「映像投影システム１０」と称する）が適用された部屋としての寝室１２の一例について説明する。
【００３９】
まず、寝室１２の概略構成について説明する。図１に示されるように、寝室１２内には、壁面１４に沿って使用者（就寝者）１６が横たわるベッド１８が配置されている。また、ベッド１８の建物上方側すなわち寝室１２の天井２０側には、映像投影システム１０が配置されている。この映像投影システム１０は、スクリーン２２、調節手段としての荷重付加装置２４、投影装置２６及び図示しない制御装置を含んで構成されている。
【００４０】
スクリーン２２は、スクリーン２２の本体を構成する本体部３０とスクリーン２２の投影面２２Ａを構成するスクリーン素材３２を含んで構成されている。本体部３０は、一例として、厚さが４．５ｍｍの鋼板材で構成されると共に、平面視で矩形板状の被投影手段としての表示部３０Ａと当該表示部３０Ａに設けられたフランジ部３０Ｂとを含んで構成されている。
【００４１】
より詳しくは、表示部３０Ａの平面視での寸法は、一例として、１５００ｍｍ×１０００ｍｍに設定されており、本体部３０は、表示部３０Ａの短手方向がベッド１８の長手方向となるようにかつ当該表示部３０Ａが寝室１２の天井２０に沿うように配置されている。一方、フランジ部３０Ｂは、表示部３０Ａの壁面１４側の一端部３０Ａ１から当該表示部３０Ａに対して直交する方向（建物下方側）に延出された矩形板状とされている。このフランジ部３０Ｂには、表示部３０Ａの短手方向に沿って複数箇所に図示しない挿通孔が形成されている。そして、フランジ部３０Ｂが壁面１４に面接触された状態で挿通孔からビス（取付部材）２８が壁面１４に螺入されることでスクリーン２２が壁面１４に取り付けられている。なお、スクリーン２２は、使用者１６がベッド１８に横たわった状態において、天井２０側から見ると、使用者１６の頭部１６Ａが表示部３０Ａの中央部に配置される位置に取り付けられている。換言すれば、スクリーン２２の表示部３０Ａは、使用者１６の就寝想定位置に対向する位置に配置されている。
【００４２】
また、スクリーン２２の表示部３０Ａにおけるベッド１８に対向する面は、投影面２２Ａとされており、当該投影面２２Ａにシート状のスクリーン素材３２が貼り付けられている。このスクリーン素材３２は、一例として、光幕反射を抑制可能な表面処理が施されている。また、スクリーン素材３２で投影面２２Ａが構成されることで、スクリーン２２は、投影光の入射方向とは逆の方向に明るい像が表示されるスクリーンとして構成される。そして、寝室１２の壁面１４には、投影装置２６が配置されている。
【００４３】
投影装置２６は、スクリーン２２を基準として見ると、スクリーン２２の表示部３０Ａにおける一端部３０Ａ１側でかつ投影面２２Ａ側に配置されている。この投影装置２６は、スクリーン２２に映像を投影（表示）する図示しない投影部と当該投影部を制御する制御部とを含んで構成されており、後述するように制御装置から制御部への指示に基づき投影光を照射するようになっている。
【００４４】
制御装置は、投影光制御手段としての投影光制御部と時刻設定手段としての時刻設定部とを含んで構成されており、この制御装置によって映像投影システム１０は、照明モード及び映像モードの２つの（複数の）モードが設定されている。投影光制御部は、投影装置２６の制御部に接続されており、投影装置２６を制御することによって、スクリーン２２への映像の表示や、スクリーン２２への照明光の照射を行う。具体的には、投影光制御部は、映像モードの場合には、例えば、図示しないＡＶ機器等からの映像等をスクリーン２２に表示させる。また、照明モードの場合には、投影光制御部は、投影装置２６からスクリーン２２に投影光を照射させることにより、投影装置２６及びスクリーン２２を間接照明として機能させることができる。
【００４５】
一方、時刻設定部は、使用者１６の起床する目覚まし時刻を記憶すると共に、時刻を監視し、当該目覚まし時刻に近づくと投影光制御部に信号を送るように設定されている。そして、投影光制御部は、時刻設定部からの信号を受信すると、投影装置２６から投影光が照射されるように当該投影装置２６を制御する。また、時刻設定部は、後述するように目覚まし時刻に近づくと荷重付加装置２４にも信号を送るように設定されており、当該信号を受け取ると荷重付加装置２４が作動するように設定されている。
【００４６】
次に、荷重付加装置２４の構成について詳細に説明する。この荷重付加装置２４は、ガイドシャフト３４、ラックギア３６、ピニオンギア３８、ガイドレール４０、ハウジング４２及び図示しないモータを含んで構成されている。
【００４７】
ガイドシャフト３４は、円柱状の鋼材で構成されると共に、その長手方向を建物上下方向とされて配置されている。このガイドシャフト３４は、その建物下方側の端部３４Ａがヒンジ４４によってスクリーン２２の表示部３０Ａにおける一端部３０Ａ１側と反対側の他端部３０Ａ２に連結されている。なお、ヒンジ４４は、表示部３０Ａの他端部３０Ａ２における当該表示部３０Ａの短手方向中央部に配置されている。
【００４８】
また、ガイドシャフト３４には、スクリーン２２の表示部３０Ａにおける一端部３０Ａ１側に面する図示しない平面部が形成されており、当該平面部にはガイドシャフト３４の長手方向に延在するラックギア３６が取り付けられている。そして、このラックギア３６には、ピニオンギア３８が係合されている。
【００４９】
ピニオンギア３８は、その回転軸方向がスクリーン２２の表示部３０Ａの短手方向に設定されると共に、図示しないモータに取り付けられている。このモータは、図示しないモータドライバに接続されると共に、当該モータドライバを介して寝室１２に設けられた図示しない電源から電力が供給されている。また、モータドライバは、上述した制御装置の一部を構成しており、当該モータドライバが時刻設定部からの信号を受信するとモータが駆動するようになっている。なお、モータには、一例として、トルク制御が可能なサーボモータが用いられている。
【００５０】
一方、ガイドレール４０は、スクリーン２２の表示部３０Ａの短手方向に見て建物下方側に開放されたコ字状に形成されると共に、天井２０の裏側にガイドシャフト３４を当該短手方向に挟むように２つ配置されている。そして、ガイドシャフト３４及びピニオンギア３８は、ハウジング４２によって一体的に保持されると共に、当該ハウジング４２はガイドレール４０に沿ってスライド移動可能な構成とされている。なお、天井２０には、ガイドシャフト３４が挿通されると共に、その長手方向の長さがガイドレール４０の長手方向の長さよりも長く設定された長孔４６が形成されている。
【００５１】
上記のように構成された荷重付加装置２４では、使用者１６の起床する目覚まし時刻に近づくと、モータドライバが時刻設定部からの信号を受信し、モータが駆動する。そして、ピニオンギア３８の回動によってガイドシャフト３４が建物下方側に変位し、ヒンジ４４を介して表示部３０Ａの他端部３０Ａ２に建物下方側（使用者１６側）への集中荷重Ｆが付加される。その結果、集中荷重Ｆに応じて表示部３０Ａが撓み、当該表示部３０Ａが湾曲した状態となる。このとき、投影装置２６から投影光が照射されるため、当該投影光は表示部３０Ａで集光された状態で使用者１６に照射されることとなる。より具体的には、目覚まし時刻に近づくと表示部３０Ａが徐々に湾曲していき、使用者１６に照射される投影光の照度が上がっていく。そして、目覚まし時刻までに使用者１６に照射される投影光の照度が設定値（設定された最大照度）となるように表示部３０Ａが湾曲されるようになっている。なお、「目覚まし時刻まで」には、目覚まし時刻そのものも含まれる。
【００５２】
また、表示部３０Ａの変形量は、集中荷重Ｆに依存するため、モータドライバでモータのトルクを設定することで、表示部３０Ａの変形量を設定し、ひいては使用者１６に照射される照明光の照度を設定することが可能である。換言すれば、集中加重Ｆの大きさを調節することで表示部３０Ａの変形量の調節が成される。なお、表示部３０Ａが設定された変形量まで変形した後には、モータの軸がロックされることで表示部３０Ａの変形状態が維持される。
【００５３】
さらに、表示部３０Ａは、その形状、材質及び集中荷重Ｆに基づく撓み曲線に沿って変形するため、その投影面２２Ａが使用者１６側に凸とならないようにかつ表示部３０Ａの他端部３０Ａ２側が使用者１６に近づくように湾曲される。加えて、ハウジング４２がガイドレール４０に沿ってスライド移動可能な構成とされているため、ガイドシャフト３４やピニオンギア３８が表示部３０Ａの他端部３０Ａ２の変位に追従して変位可能となっている。
【００５４】
＜本実施形態の作用及び効果＞
次に、本実施形態の作用並びに効果を説明する。
【００５５】
本実施形態では、図１に示されるように、使用者１６の就寝想定位置に対向する位置にスクリーン２２の表示部３０Ａが配置されると共に、当該表示部３０Ａの一端部３０Ａ１側でかつ当該表示部３０Ａの投影面２２Ａ側に投影装置２６が配置されている。そして、投影装置２６から投影光が投影面２２Ａに照射されることで表示部３０Ａに映像が表示される。このため、使用者１６は、就寝姿勢のまま表示部３０Ａに表示される映像を見ることができる。
【００５６】
ここで、本実施形態では、スクリーン２２の表示部３０Ａが湾曲可能とされると共に、目覚まし時刻が設定される時刻設定部と、投影装置２６を制御する投影光制御部と表示部３０Ａを湾曲させる荷重付加装置２４とを備えている。そして、投影装置２６は、投影光制御部によって、目覚まし時刻までに投影光が照射されるように制御される。一方、表示部３０Ａは、荷重付加装置２４によって、目覚まし時刻までにその投影面２２Ａが使用者１６側に凸とならないようにかつその他端部３０Ａ２側が使用者１６に近づくように湾曲される。このため、目覚まし時刻には、表示部３０Ａで反射された投影装置２６からの投影光が使用者１６に向かって集光される。従って、本実施形態に係る映像投影システム１０では、使用者１６の快適な覚醒を促すことができると共に、汎用性を確保することができる。
【００５７】
また、本実施形態では、時刻設定部に設定された目覚まし時刻に近づくと、荷重付加装置２４によってスクリーン２２の表示部３０Ａが湾曲され、表示部３０Ａから使用者１６に照射される投影光の照度が徐々に上がる。
【００５８】
図２を用いて具体的に説明すると、目覚まし時刻に近づくと荷重付加装置２４が作動し、図２（Ａ）に示されるように、スクリーン２２の表示部３０Ａの他端部３０Ａ２が建物下方側（使用者１６側）に押圧される。これに伴い、表示部３０Ａは、その他端部３０Ａ２側が使用者１６に近づくように湾曲し、表示部３０Ａの他端部３０Ａ２側で反射された投影光が使用者１６に照射されるようになる。
【００５９】
そして、図２（Ｂ）に示されるように、表示部３０Ａは、目覚まし時刻までに使用者１６に照射される投影光の照度が設定値（設定された最大照度）となるように湾曲し、表示部３０Ａから使用者１６に照射される投影光の照度は、目覚まし時刻に設定値となる。従って、本実施形態では、起床時に使用者１６に照射される照明光の照度を緩やかに設定値まで変化させ、使用者１６のより快適な覚醒を促すことができる。
【００６０】
また、本実施形態では、スクリーン２２の表示部３０Ａが弾性変形可能な板状の部材で構成されると共に、荷重付加装置２４が表示部３０Ａの他端部３０Ａ２に使用者１６側への集中荷重Ｆを付加可能に構成されている。このため、荷重付加装置２４によって表示部３０Ａの他端部３０Ａ２に集中加重Ｆを付加して表示部３０Ａを湾曲させることができると共に、集中加重Ｆの大きさを調節することで表示部３０Ａの変形量を調節することができる。その結果、本実施形態では、表示部３０Ａの構成を単純なものにすることができる。
【００６１】
また、本実施形態では、スクリーン２２の表示部３０Ａが寝室１２の天井２０側に配置されており、表示部３０Ａが変形するときの作動音の発生箇所すなわち荷重付加装置２４と使用者１６の頭部とを隔離することができる。このため、本実施形態では、表示部３０Ａが変形するときの作動音によって使用者１６の快適な覚醒が妨げられることを抑制することができる。
【００６２】
また、本実施形態では、スクリーン２２の表示部３０Ａの投影面２２Ａが光幕反射を抑制可能なスクリーン素材３２で構成されているため、投影面２２Ａの光幕反射が抑制される。その結果、本実施形態では、表示部３０Ａに表示される映像の品質を向上させることができる。
【００６３】
加えて、本実施形態では、スクリーン２２の表示部３０Ａで投影装置２６からの投影光を集光するので、投影装置２６からの投影光の強さが制限されていても、使用者１６の覚醒に必要な照度を得ることができる。
【００６４】
＜第２実施形態＞
次に、図３及び図４を用いて、本発明の第２実施形態に係る映像投影システム６０について説明する。なお、上述した第１実施形態と同一構成部分については、同一の番号を付してその説明を省略する。
【００６５】
図３に示されるように、この第２実施形態に係る映像投影システム６０は、スクリーン６２の被投影手段としての表示部６６が複数に分割されている点及びスクリーン６２の変形が調節手段としての吊り下げ装置６４で行われる点に特徴がある。
【００６６】
具体的に説明すると、スクリーン６２は、表示部６６と支持部６８とを含んで、樹脂材等で構成されている。表示部６６の平面視での寸法は、全体では上述した第１実施形態の表示部３０Ａと同様に１５００ｍｍ×１０００ｍｍに設定されている。この表示部６６は、その短手方向がベッド１８の長手方向となるようにかつ天井２０に沿うように配置されている。
【００６７】
表示部６６は、一例として、その長手方向に３分割されており、被投影部としての第１分割部７０、第２分割部７２及び第３分割部７４が、表示部６６の壁面１４側の一端部６６Ａからこの順に配置されて構成されている。より詳しくは、第１分割部７０、第２分割部７２及び第３分割部７４は、それぞれ平面視での寸法が５００ｍｍ×１０００ｍｍの矩形状とされた板材で構成されている。そして、第１分割部７０と第２分割部７２とがヒンジ７６を介して互いに回動可能に連結されると共に、第２分割部７２と第３分割部７４とがヒンジ７８を介して互いに回動可能に連結されている。このため、表示部６６は、ヒンジ７６、７８において屈曲可能な構成とされている。
【００６８】
また、第１分割部７０、第２分割部７２及び第３分割部７４は、それぞれベッド１８に対向する平面状の分割投影面８０を備えている。そして、分割投影面８０には、第１実施形態のスクリーン素材３２と同様の特性を有するスクリーン素材８２が貼り付けられている。
【００６９】
一方、支持部６８は、取付部６８Ａと延出部６８Ｂとを含んで、断面Ｌ字状とされており、表示部６６の短手方向に延在している。詳しくは、取付部６８Ａは、長手方向の長さが表示部６６の短手方向の長さと同じ長さに設定された矩形板状に形成されると共に、当該短手方向に沿いかつ壁面１４に面接触している。また、延出部６８Ｂは、取付部６８Ａの建物上方側の端部から室内側に延出された矩形板状とされており、その室内側の端部は、第１分割部７０とヒンジ８４を介して互いに回動可能に連結されている。なお、取付部６８Ａには、表示部６６の短手方向に沿って複数箇所に図示しない挿通孔が形成されており、当該挿通孔からビス２８が壁面１４に螺入されることでスクリーン６２が壁面１４に取り付けられている。
【００７０】
次に、吊り下げ装置６４の構成について詳細に説明する。この吊り下げ装置６４は、回転ドラム８６、８８、９０及び図示しないモータを含んで構成されている。回転ドラム８６は、天井２０の裏側におけるヒンジ７６の上方側に配置されており、当該回転ドラム８６に巻きかけられたワイヤ９２の端部は、ヒンジ７６に係止されている。また、回転ドラム８８は、天井２０の裏側におけるヒンジ７８の上方側に配置されており、当該回転ドラム８８に巻きかけられたワイヤ９４の端部は、ヒンジ７８に係止されている。一方、第３分割部７４におけるヒンジ７８と反対側の端部（表示部６６における一端部６６Ａと反対側の他端部６６Ｂ）には、係止部９８が設けられており、回転ドラム９０は、天井２０の裏側における係止部９８の上方側に配置されている。そして、回転ドラム９０に巻きかけられたワイヤ９６の端部は、係止部９８に係止されている。なお、天井２０には、ワイヤ９２、９４、９６がそれぞれ挿通される図示しない挿通孔が形成されている。
【００７１】
また、モータは、回転ドラム８６、８８、９０にそれぞれ取り付けられると共に、回転数の制御が可能なサーボモータやステッピングモータ等が用いられており、上述した第１実施形態と同様にモータドライバによって制御されている。このため、モータを制御することで、回転ドラム８６からヒンジ７６までのワイヤ９２の長さ、回転ドラム８８からヒンジ７８までのワイヤ９４の長さ及び回転ドラム９０から係止部９８までのワイヤ９６の長さを調整することができる。その結果、本実施形態では、第１分割部７０、第２分割部７２及び第３分割部７４の傾斜角度の調節が可能となり、ひいては表示部６６を屈曲させることが可能となっている。
【００７２】
さらに、図４（Ａ）に示されるように、上記構成の吊り下げ装置６４では、目覚まし時刻に近づくと、モータドライバが時刻設定部からの信号を受信し、まず、第１段階として、回転ドラム８６、８８、９０に取り付けられた全てのモータが駆動する。これにより、回転ドラム８６からワイヤ９２が、回転ドラム８８からワイヤ９４が、回転ドラム９０からワイヤ９６がそれぞれ引き出され、表示部６６は、設定された傾斜角度となるまでヒンジ８４を中心に反時計回りに回動する。次に、図４（Ｂ）に示されるように、第２段階として、回転ドラム８８、９０に取り付けられたモータが駆動する。これにより、第２分割部７２及び第３分割部７４が、これらの分割投影面８０が同一平面上に配置された状態を維持しつつ、設定された傾斜角度となるまでヒンジ７６を中心に反時計回りに回動する。そして、最後に、図４（Ｃ）に示されるように、第３段階として、回転ドラム９０に取り付けられたモータのみが駆動し、第３分割部７４が、表示部６６が設定された形状に屈曲されるまでヒンジ７８を中心に反時計回りに回動する。
【００７３】
＜本実施形態の作用及び効果＞
次に、本実施形態の作用並びに効果を説明する。
【００７４】
本実施形態では、使用者１６の就寝想定位置に対向する位置にスクリーン６２の表示部６６が配置されており、投影装置２６から投影光が分割投影面８０に照射されることで表示部６６に映像が表示される。このため、使用者１６は、就寝姿勢のまま表示部６６に表示される映像を見ることができる。
【００７５】
また、本実施形態では、スクリーン６２の表示部６６が屈曲可能とされると共に、表示部６６を屈曲させる吊り下げ装置６４を備えている。このため、吊り下げ装置６４のモータを制御装置のモータドライバで制御することによって、表示部６６が目覚まし時刻までに分割投影面８０で構成される投影面が使用者１６側に凸とならないようにかつその他端部６６Ｂ側が使用者１６に近づくように屈曲される。このため、本実施形態でもスクリーン２２の表示部３０Ａが湾曲されることによる作用並びに効果を除き、上述した第１実施形態と同様の作用並びに効果を奏する。
【００７６】
さらに、本実施形態では、スクリーン６２の表示部６６が、当該表示部６６の一端部６６Ａ側から当該表示部６６の他端部６６Ｂ側にかけて第１分割部７０、第２分割部７２及び第３分割部７４が配置されて構成されている。これにより、表示部６６は、第１分割部７０、第２分割部７２及び第３分割部７４の境界部で屈曲するようになっている。また、表示部６６は、投影面の一部を構成する平面状の分割投影面８０を備えており、当該分割投影面８０の範囲では、当該投影面の傾斜角度が一定となっている。このため、表示部６６が湾曲される場合と比し、表示部６６で反射された投影装置２６からの投影光の照射範囲において照度が平均化されるようになる。その結果、本実施形態では、起床時に使用者１６に照射される照明光の照射範囲において、当該照明光による覚醒効果を平均化することができる。具体的には、使用者１６が就寝中に就寝位置を変更した場合や使用者１６が複数である場合であっても、照明光の照射範囲内では同様の覚醒効果を得ることができる。
【００７７】
加えて、本実施形態では、スクリーン６２の表示部６６が投影装置２６側から屈曲されていく。このため、表示部６６が屈曲されていく初期状態において、第１分割部７０、第２分割部７２及び第３分割部７４で反射される投影光の大部分の照射方向を変更することができる。その結果、本実施形態では、スクリーン６２の表示部６６が屈曲されていく初期状態において、使用者１６に照射される照明光の照射量を向上させることができる。
【００７８】
＜第３実施形態＞
次に、図５〜図７を用いて、本発明の第３実施形態に係る映像投影システム１１０について説明する。なお、上述した第１実施形態及び第２実施形態と同一構成部分については、同一の番号を付してその説明を省略する。
【００７９】
図５に示されるように、この第３実施形態に係る映像投影システム１１０は、上述した第２実施形態に係る映像投影システム６０と基本的に同様の構成とされているものの、以下の点で異なっている。すなわち、本実施形態に係る映像投影システム１１０では、スクリーン１１２の被投影手段としての表示部１１４を構成する、第１分割部１１６、第２分割部１１８及び第３分割部１２０の回動範囲が規制されている。また、本実施形態に係る映像投影システム１１０では、調節手段としての吊り下げ装置１２２が回転ドラム９０と当該回転ドラム９０に取り付けられたモータのみで構成されている。
【００８０】
まず、図６及び図７を用いて、第１分割部１１６、第２分割部１１８及び第３分割部１２０の構成について説明する。なお、第１分割部１１６及び第２分割部１１８は同じ構成であり、第２分割部１１８と第３分割部１２０とは類似の構成であるので、第２分割部１１８の構成を中心に説明していくこととする。
【００８１】
図６及び図７に示されるように、第２分割部１１８は、分割投影面１２４を備えると共に平面視で矩形の板状に形成された平板部１２６と当該平板部１２６の周縁部に沿って設けられた円柱状の一対の枠部１２８とを含んで構成されている。なお、第２分割部１１８は、枠部１２８の長手方向が表示部１１４の長手方向となるように配置されている。
【００８２】
また、枠部１２８における壁面１４側の一端部１２８Ａには、平板部１２６の板厚方向に貫通したスリット１３０と、表示部１１４の短手方向に見て建物上方側に縮幅された台形状の切欠部１３２が形成されている。一方、枠部１２８の一端部１２８Ａと反対側の他端部１２８Ｂには、枠部１２８の長手方向と直交する平面部１２８Ｃが設けられており、当該平面部１２８Ｃからは、スリット１３０に挿入可能な板状の挿入片１３４が延出されている。
【００８３】
枠部１２８の一端部１２８Ａには、表示部１１４の短手方向に挿通孔１３６が形成されると共に、挿入片１３４には、挿通孔１３６に対応する挿通孔１３８が形成されている。そして、第１分割部１１６を構成する枠部１２８の挿入片１３４が、第２分割部１１８を構成する枠部１２８のスリット１３０に挿入された状態で、挿通孔１３６、１３８にボルト１４０が挿通されると共にボルト１４０にナット１４２が螺合される。これにより、第１分割部１１６と第２分割部１１８とが互いに回動可能に連結されている。
【００８４】
詳しくは、図７（Ａ）に示されるように、第２分割部１１８の第１分割部１１６に対する時計回りの回動は、第２分割部１１８における枠部１２８の一端部１２８Ａの建物上方側が第１分割部１１６における枠部１２８の他端部１２８Ｂの平面部１２８Ｃに当接されることで規制される。一方、図７（Ｂ）に示されるように、第２分割部１１８の第１分割部１１６に対する反時計回りの回動は、第２分割部１１８における枠部１２８の一端部１２８Ａの建物下方側が第１分割部１１６における枠部１２８の他端部１２８Ｂの平面部１２８Ｃに当接された状態となるまで許容される。なお、第２分割部１１８が第１分割部１１６に対して反時計回りに回動したときの第２分割部１１８の第１分割部１１６に対する傾斜角度は、切欠部１３２の形状を変更することで調節可能となっている。また、表示部１１４を壁面１４に取り付ける支持部６８と第１分割部１１６との連結部及び第２分割部１１８と第３分割部１２０との連結部も、上述した第１分割部１１６と第２分割部１１８との連結部と同様の構成となっている。
【００８５】
一方、図５に示されるように、吊り下げ装置１２２を構成する回転ドラム９０に巻きかけられたワイヤ９６の端部は、上述した第２実施形態と同様に、第３分割部１２０の係止部９８に係止されている。このため、目覚まし時刻において、回転ドラム９０に取り付けられたモータが駆動して回転ドラム９０からワイヤ９６が引き出され、表示部１１４は、図７（Ａ）の真っ直ぐな状態から図７（Ｂ）の屈曲した状態に変形する。その結果、表示部１１４は所定の形状に屈曲された状態となる。
【００８６】
また、表示部１１４は、屈曲された状態において、第２分割部１１８が使用者１６の直上に配置されるように構成されている。さらに、本実施形態では、第２分割部１１８の分割投影面１２４の水平方向に対する傾斜角度θ１が、４５度から投影装置２６からの投影光の照射方向と水平方向との成す角度θ２の半分の角度を引いた角度に設定されている。すなわち、角度θ１と角度θ２との間には、θ１＝４５°−θ２／２の関係が成り立っている。これにより、第２分割部１１８から使用者１６に投影光が真っ直ぐに照射されるようになる。なお、使用者１６が第２分割部１１８から投影光が真っ直ぐに照射されていると感じる範囲で、角度θ１、θ２は、所定の角度ずれていてもよい。
【００８７】
＜本実施形態の作用及び効果＞
次に、本実施形態の作用並びに効果を説明する。
【００８８】
本形態に係る映像投影システム１１０は、上述した第２実施形態に係る映像投影システム６０と基本的に同様の構成とされている。このため、スクリーン１１２の表示部１１４及び吊り下げ装置１２２の構成の違いによる作用並びに効果を除き、上述した第１実施形態及び第２実施形態と同様の作用並びに効果を奏する。
【００８９】
また、本実施形態では、目覚まし時刻において、使用者１６の直上に配置される第２分割部１１８における分割投影面１２４に照射される投影装置２６からの投影光が当該第２分割部１１８の直下に反射される。このため、少なくとも使用者１６の直上に配置される第２分割部１１８で反射された投影光を、当該使用者１６に照射することができる。その結果、投影装置２６から照射される投影光の使用者１６への経路の設定を省略しつつ照明光が使用者１６に照射される確度を向上させることができる。
【００９０】
さらに、本実施形態では、表示部１１４の形状を変更するのに吊り下げ装置１２２を構成する一つのモータだけ制御すればよいので、表示部１１４の形状をより簡易に制御することが可能となり、汎用性を向上させることができる。
【００９１】
＜第４実施形態＞
次に、図８及び図９を用いて、本発明の第４実施形態に係る映像投影システム１５０について説明する。なお、上述した第１実施形態〜第３実施形態と同一構成部分については、同一の番号を付してその説明を省略する。
【００９２】
図８及び図９に示されるように、この第４実施形態に係る映像投影システム１５０は、被投影手段としてのスクリーン１５２が布状の素材で構成されている点及び調節手段としてのガイド装置１５４及び吊り下げ装置１５６を備えている点に特徴がある。
【００９３】
具体的に説明すると、スクリーン１５２は、その平面視での寸法が、第１実施形態におけるスクリーン２２の表示部３０Ａの平面視での寸法と同程度に設定されると共に、スクリーン素材３２と同じ材質で構成されている。そして、スクリーン１５２は、その壁面１４側の一端部１５２Ａが図示しない取付手段によって当該壁面１４に取り付けられると共に、その一端部１５２Ａと反対側の他端部１５２Ｂが後述するように回転ドラム９０からのワイヤ９６で支持されている。
【００９４】
一方、ガイド装置１５４は、樹脂製のガイド部材１５８、鋼製の補強部材１６０及び鋼製の振れ止め部材１６２を含んで構成されている。ガイド部材１５８は、スクリーン１５２の短手方向両側の周縁部にそれぞれ配置されると共に、ベッド１８の短手方向に延在しており、その壁面１４側の一端部１５８Ａが図示しない取付手段によって当該壁面１４に取り付けられている。このガイド部材１５８は、板厚方向をベッド１８の長手方向とされた側壁部１５８Ｃと当該側壁部１５８Ｃに設けられたガイド面部１５８Ｄとを含んで構成されている。より詳しくは、側壁部１５８Ｃは、壁面１４から屋内側でかつ建物下方側に湾曲したアーチ状とされており、ガイド面部１５８Ｄは、側壁部１５８Ｃの建物下方側の周縁部に沿って当該周縁部からスクリーン１５２側に延出されている。なお、見方を変えれば、ガイド面部１５８Ｄは、ガイド部材１５８の投影装置２６側の一端部１５８Ａと反対側の他端部１５８Ｂ側が使用者１６に近づくように湾曲している。具体的には、ガイド面部１５８Ｄは、投影装置２６からの投影光が使用者１６に向かって集光しやすい曲面状とされている。なお、ガイド面部１５８Ｄは、投影装置２６からの投影光が使用者１６に向かって集光しやすい屈曲面状に形成されていてもよい。
【００９５】
補強部材１６０は、トラス状に構成されてガイド部材１５８を天井２０に固定すると共に、ガイド部材１５８を補強している。一方、振れ止め部材１６２は、建物上下方向に延在すると共に、その一端部１６２Ａが天井２０に固定されており、その他端部１６２Ｂがガイド部材１５８の他端部１５８Ｂに取り付けられている。これにより、ガイド部材１５８が振れ止めされるようになっている。
【００９６】
また、吊り下げ装置１５６は、第３実施形態の吊り下げ装置１５６と同様に回転ドラム９０と当該回転ドラム９０に取り付けられたモータのみで構成されている。本実施形態では、回転ドラム９０は、スクリーン１５２の短手方向に見て、ガイド部材１５８の他端部１５８Ｂの建物上方側に配置されており、回転ドラム９０に巻きかけられたワイヤ９６の端部がスクリーン１５２の他端部１５２Ｂに係止されている。このため、回転ドラム９０に取り付けられたモータが駆動すると回転ドラム９０からワイヤ９６が引き出され、スクリーン１５２がガイド部材１５８のガイド面部１５８Ｄに向かって移動するようになっている。つまり、吊り下げ装置１５６は、スクリーン１５２をガイド面部１５８Ｄに移動可能な移動手段として機能する。
【００９７】
＜本実施形態の作用及び効果＞
次に、本実施形態の作用並びに効果を説明する。
【００９８】
本実施形態では、使用者１６の就寝想定位置に対向する位置にスクリーン１５２が配置されており、投影装置２６から投影光がスクリーン１５２の投影面に照射されることでスクリーン１５２に映像が表示される。このため、使用者１６は、就寝姿勢のまま表示部６６に表示される映像を見ることができる。また、本実施形態では、スクリーン１５２が布状の素材で構成されると共に、ガイド装置１５４及び吊り下げ装置１５６を備えている。このため、吊り下げ装置１５６のモータを制御装置のモータドライバで制御することによって、目覚まし時刻までにスクリーン１５２がガイド面部１５８Ｄに向かって移動すると共に、当該ガイド面部１５８Ｄに沿って配置される。そして、スクリーン１５２は、その投影面が使用者１６側に凸とならないようにかつその他端部１５２Ｂ側が使用者１６に近づくように湾曲される。従って、本実施形態でも、基本的には、上述した第１実施形態〜第３実施形態と同様の作用並びに効果を奏する。
【００９９】
また、本実施形態では、布状の素材で構成されたスクリーン１５２を、吊り下げ装置１５６によってガイド面部１５８Ｄに移動し、スクリーン１５２をガイド面部１５８Ｄに沿って湾曲された状態とすることができる。このため、スクリーン１５２の集光性能を維持しつつスクリーン１５２を軽量化することができる。従って、本実施形態では、スクリーン１５２を支持する部材にかかる負荷を軽減することができると共により効率的に集光できる。
【０１００】
＜第５実施形態＞
次に、図１０及び図１１を用いて、本発明の第５実施形態について説明する。この第５実施形態は、上述した第４実施形態を折上げ天井に適用する場合の変形例である。なお、上述した第４実施形態と同一構成部分については、同一の番号を付してその説明を省略する。
【０１０１】
上述した第４実施形態では、ガイド部材１５８が用いられていたが、本実施形態では、図１０及び図１１に示されるように、折上げ天井１７０に調節手段としてのガイド板１７２を配置している点に特徴がある。具体的には、ガイド板１７２は、平面視で４分割された楕円形の板状に形成されており、板厚方向をスクリーン１５２の短手方向とされて、折上げ天井１７０のスクリーン１５２の短手方向に面する壁部１７４、１７６にそれぞれ配置されている。このガイド板１７２は、その建物上方側に、上述したガイド部材１５８のガイド面部１５８Ｄと同様に湾曲したガイド面部１７２Ａが形成されている。なお、ガイド面部１７２Ａは、屈曲面状に形成されていてもよい。そして、ガイド板１７２の建物上方側に配置されたスクリーン１５２は、吊り下げ装置１５６で移動されて、ガイド板１７２のガイド面部１７２Ａに沿って配置されるようになっている。従って、本実施形態でも上述した第４実施形態と同様の作用並びに効果を奏することが可能である。
【０１０２】
＜上記実施形態の補足説明＞
（１）  上述した第２実施形態では、スクリーン６２がヒンジ７６、７８、８４で屈曲されるように構成されていたが、脆弱部で屈曲されるように構成してもよい。
【０１０３】
（２）  上述した第１実施形態〜第３実施形態では、投影面がスクリーン素材で構成されていたが、スクリーンを白色や灰色の部材で構成することで投影面を構成してもよい。
【０１０４】
（３）  上述した実施形態では、使用者１６の覚醒時に照射される投影光の照度が大きくなるように制御していたが、逆の制御をすることで睡眠時に照射される投影光の照度を小さくすることも可能である。
【０１０５】
（４）  また、上述した実施形態では、スクリーンが天井２０側に配置されていたが、例えば、家具面や壁面１４といった室内側に面しかつ建物上下方向又は建物上下方向に対して傾斜した方向に延在する室内構成面に沿ってスクリーンを配置してもよい。また、一例として、室内構成面に荷重付加装置２４を配置して、スクリーンを変形させるようにしてもよい。このような構成によれば、寝室１２のレイアウトに対応してスクリーンを設置することが可能となる。
【０１０６】
（５）  さらに、上述した実施形態では、スクリーンの表示部を変形させることで使用者１６に照射される投影光の照度が上げているが、これに限らない。例えば、制御装置によって投影装置２６からの投影光を徐々に強め、設定値まで投影光を強めた後に、上述したようにスクリーンの表示部を変形させることで、使用者１６に照射される投影光に自然光（夜明け）のような演出を施すことが可能となる。
【０１０７】
（６）  加えて、上述した実施形態では、荷重負荷装置２４や吊り下げ装置６４、１２２、１５６によってスクリーンを小刻みに動かすことによって、スクリーンからの反射光のちらつきを利用した覚醒支援を行うことも可能である。
【符号の説明】
【０１０８】
１０      映像投影システム
１２      寝室（部屋）
１６      使用者
２０      天井
２２Ａ    投影面
２４      荷重負荷装置（調節手段）
２６      投影装置
３０Ａ    表示部（被投影手段）
３０Ａ１  一端部
３０Ａ２  他端部
３２      スクリーン素材
６０      映像投影システム
６４      吊り下げ装置（調節手段）
６６      表示部（被投影手段）
６６Ａ    一端部
６６Ｂ    他端部
７０      第１分割部（被投影部）
７２      第２分割部（被投影部）
７４      第３分割部（被投影部）
８０      分割投影面
８２      スクリーン素材
１１０    映像投影システム
１１４    表示部（被投影手段）
１１６    第１分割部（被投影部）
１１８    第２分割部（被投影部）
１２０    第３分割部（被投影部）
１２２    吊り下げ装置（調節手段）
１２４    分割投影面
１５０    映像投影システム
１５２    スクリーン（被投影手段）
１５４    ガイド装置（調節手段）
１５６    吊り下げ装置（調節手段）
１５８Ｄ  ガイド面部
１７２    ガイド板（調節手段）
１７２Ａ  ガイド面部
θ１      分割投影面の水平方向に対する傾斜角度
θ２      投影光の照射方向と水平方向との成す角度
【図１】
2016165071.tif 000003
【図２】
2016165071.tif 000004
【図３】
2016165071.tif 000005
【図４】
2016165071.tif 000006
【図５】
2016165071.tif 000007
【図６】
2016165071.tif 000008
【図７】
2016165071.tif 000009
【図８】
2016165071.tif 000010
【図９】
2016165071.tif 000011
【図１０】
2016165071.tif 000012
【図１１】
2016165071.tif 000013